(57)【要約】【課題】  画像に映し出された色を検索する画像表示装置、画像記録装置及びそのプログラムを実現する。【解決手段】  画像が画像表示部１０に表示され、ユーザがカーソルの操作により、色の名称を表示したい部分にポインタを合わせ実行キーの操作を行う。この実行キーの操作が行われると、ポインタの合わされた位置の画素のＲＧＢ値を取得し、該取得したＲＧＢ値とＲＯＭ８に記録されている色名称テーブルを用いて、該画素の色名称を検索する。そして、検索された色名称を画像表示部１０に表示させ、又は、該検索された色名称を音声出力部９から音声出力する。【選択図】  図３
2005202452.tif 000002
【特許請求の範囲】
【請求項１】
画像データの画像を表示手段に表示させる画像表示制御手段と、
前記画像表示制御手段により表示された画像内の色情報を取得する取得手段と、
前記取得手段により取得された色情報に基づいて色名称を検索する検索手段と、
前記検索手段により検索された色名称を報知する報知手段と、
を備えたことを特徴とする画像表示装置。
【請求項２】
被写体を撮像する撮像手段と、
前記撮像手段により撮像された画像データを記録する画像記録手段と、を備え、
前記画像表示制御手段は、
前記画像記録手段に記録されている画像データの画像を前記表示手段に表示させることを特徴とする請求項１記載の画像表示装置。
【請求項３】
前記取得手段は、
画像内の複数の位置の色情報を取得することを特徴とする請求項１又は２記載の画像表示装置。
【請求項４】
前記画像表示制御手段により前記表示手段に表示された画像内の任意の位置又は領域を１又は２以上指定する指定手段を備え、
前記取得手段は、
前記指定手段により指定された位置又は領域の色情報を取得することを特徴とする請求項１又は２記載の画像表示装置。
【請求項５】
前記報知手段は、
前記検索手段により検索された色名称を前記表示手段に文字表示させる表示制御手段、又は、当該色名称を音声出力手段に音声出力させる音声出力制御手段のうち少なくとも１つを含むことを特徴とする請求項１乃至４の何れかに記載の画像表示装置。
【請求項６】
前記表示制御手段は、
前記検索手段により色情報に基づいて検索された色名称を、該色情報が取得された画像内の位置又は領域に表示させることを特徴とする請求項５記載の画像表示装置。
【請求項７】
前記表示制御手段は、
前記検索手段により検索された色名称を、画像内の所定の位置に表示させることを特徴とする請求項５記載の画像表示装置。
【請求項８】
画像データを取得する画像取得手段と、
前記画像取得手段により取得された画像データの画像内の色情報を取得する取得手段と、
前記取得手段により取得された色情報に基づいて色名称を検索する検索手段と、
前記検索手段により検索された色名称と前記画像取得手段により取得された画像データとを関連付けて記録手段に記録する記録制御手段と、
を備えたことを特徴とする画像記録装置。
【請求項９】
前記取得手段は、
画像内の複数の位置の色情報を取得することを特徴とする請求項８記載の画像記録装置。
【請求項１０】
前記取得手段は、
画像の中心位置の色情報又は予め定められた位置の色情報を取得することを特徴とする請求項８記載の画像記録装置。
【請求項１１】
前記記録制御手段は、
前記検索手段により色情報に基づいて検索された色名称に、該色情報が取得された画像内の位置の位置データを対応付けて記録するとともに、該色名称と前記画像取得手段により取得された画像データとを関連付けて前記記録手段に記録することを特徴とする請求項８乃至１０の何れかに記載の画像記録装置。
【請求項１２】
前記記録手段に記録された画像データの画像を表示手段に表示させる画像表示制御手段と、該画像データに関連付けられて記録されている色名称を報知する報知手段と、
を備えたことを特徴とする請求項８乃至１１の何れかに記載の画像記録装置。
【請求項１３】
前記画像表示制御手段により前記表示手段に表示された画像内の任意の位置又は領域を１又は２以上指定する指定手段を備え、
前記報知手段は、
前記画像表示制御手段により前記表示手段に表示されている画像の画像データに関連付けられて記録されている色名称の中で、前記指定手段により指定された位置又は領域の位置データに対応する色名称を報知することを特徴とする請求項１２記載の画像記録装置。
【請求項１４】
前記報知手段は、
前記検索手段により検索された色名称を前記表示手段に文字表示させる表示制御手段、又は、当該色名称を音声出力手段に音声出力させる音声出力制御手段のうち少なくとも１つを含むことを特徴とする請求項１２又は１３記載の画像記録装置。
【請求項１５】
前記表示制御手段は、
画像データに関連付けられて記録されている色名称を、該色名称に対応付けられて記録されている位置データに基づいて定められた画像内の位置に表示させることを特徴とする請求項１４記載の画像記録装置。
【請求項１６】
前記表示制御手段は、
画像データに関連付けられて記録されている色名称を、画像内の所定の位置に表示させることを特徴とする請求項１４記載の画像記録装置。
【請求項１７】
画像データの画像を表示手段に表示させる処理と、
この処理により表示された画像内の色情報を取得する処理と、
この処理により取得された色情報に基づいて色名称を検索する処理と、
この処理により検索された色名称を報知する処理と、
を含み、上記各処理をコンピュータで実行させることを特徴とするプログラム。
【請求項１８】
画像データを取得する画像取得処理と、
前記画像取得手段により取得された画像データの画像内の色情報を取得する処理と、
この処理により取得された色情報に基づいて色名称を検索する処理と、
この処理により検索された色名称と前記画像取得処理により取得された画像データとを関連付けて記録媒体に記録する処理と、
を含み、上記各処理をコンピュータで実行させることを特徴とするプログラム。
【発明の詳細な説明】
【技術分野】
【０００１】
本発明は、画像表示装置、画像記録装置及びそのプログラムに係り、詳しくは、画像に映し出された色を検索する画像表示装置、画像記録装置及びそのプログラムに関する。
【背景技術】
【０００２】
近年、撮像素子を用いたデジタルカメラ等の普及により手軽に様々な場面でカラー画像の撮影が行えるようになってきた。
【０００３】
また、下記特許公開公報には、デジタルカメラなる発明が開示されている。詳しくは、搭載するメモリ容量が比較的小さな場合でも、ファインダーモード中の記録動作時に瞬時に撮影画像を確認するための画像表示ができるデジタルカメラなるものが記載されている。
【０００４】
【特許文献１】公開特許公報  特開平１１−２７５５２０（段落「００１１」〜段落「００２１」参照）
【発明の開示】
【発明が解決しようとする課題】
【０００５】
しかしながら、従来のデジタルカメラ等にあっては、画像をカラーで表示することはできるが、画像に映し出されている物体の色が、具体的に何色であるかということを認識することができないという問題点があった。
また、画像に映し出された物体の色と同じ色の絵の具等を買いたいと思った場合でも、その色の名称がわからないため、色の記憶を頼りに購買した結果、実は欲しかった色とは違う色を買ってしまったという問題点があった。また、どうしてもその色と同じ色が欲しい場合には、実際にデジタルカメラを店に持っていって、その色を店員に見せなければならないため、面倒であるという問題点があった。
また、色覚異常者は、画像に映し出されたある物体が実際にはどんな色をしているのかわからないため、日常生活でも不便であるという問題点があった。
さらに、このような問題点は、上記した特許文献に記載の技術でも解決することができるというものではなかった。
【０００６】
そこで本発明は、かかる従来の問題点に鑑みてなされたものであり、画像に映し出された色を検索する画像表示装置、画像記録装置及びそのプログラムを提供することを目的とする。
【課題を解決するための手段】
【０００７】
上記目的達成のため、請求項１記載の発明による画像表示装置は、画像データの画像を表示手段に表示させる画像表示制御手段と、
前記画像表示制御手段により表示された画像内の色情報を取得する取得手段と、
前記取得手段により取得された色情報に基づいて色名称を検索する検索手段と、
前記検索手段により検索された色名称を報知する報知手段と、
を備えたことを特徴とする。
【０００８】
また、例えば、請求項２に記載されているように、被写体を撮像する撮像手段と、
前記撮像手段により撮像された画像データを記録する画像記録手段と、を備え、
前記画像表示制御手段は、
前記画像記録手段に記録されている画像データの画像を前記表示手段に表示させるようにしてもよい。
【０００９】
また、例えば、請求項３に記載されているように、前記取得手段は、
画像内の複数の位置の色情報を取得するようにしてもよい。
また、請求項４に記載されているように、前記画像表示制御手段により前記表示手段に表示された画像内の任意の位置又は領域を１又は２以上指定する指定手段を備え、
前記取得手段は、
前記指定手段により指定された位置又は領域の色情報を取得するようにしてもよい。
【００１０】
また、例えば、請求項５に記載されているように、前記報知手段は、
前記検索手段により検索された色名称を前記表示手段に文字表示させる表示制御手段、又は、当該色名称を音声出力手段に音声出力させる音声出力制御手段のうち少なくとも１つを含むようにしてもよい。
また、請求項６に記載されているように、前記表示制御手段は、
前記検索手段により色情報に基づいて検索された色名称を、該色情報が取得された画像内の位置又は領域に表示させるようにしてもよい。
また、請求項７に記載されているように、前記表示制御手段は、
前記検索手段により検索された色名称を、画像内の所定の位置に表示させるようにしてもよい。
【００１１】
上記目的達成のため、請求項８記載の発明による画像記録装置は、画像データを取得する画像取得手段と、
前記画像取得手段により取得された画像データの画像内の色情報を取得する取得手段と、
前記取得手段により取得された色情報に基づいて色名称を検索する検索手段と、
前記検索手段により検索された色名称と前記画像取得手段により取得された画像データとを関連付けて記録手段に記録する記録制御手段と、
を備えたことを特徴とする。
【００１２】
また、例えば、請求項９に記載されているように、前記取得手段は、
画像内の複数の位置の色情報を取得するようにしてもよい。
また、請求項１０に記載されているように、前記取得手段は、
画像の中心位置の色情報又は予め定められた位置の色情報を取得するようにしてもよい。
【００１３】
また、例えば、請求項１１に記載されているように、前記記録制御手段は、
前記検索手段により色情報に基づいて検索された色名称に、該色情報が取得された画像内の位置の位置データを対応付けて記録するとともに、該色名称と前記画像取得手段により取得された画像データとを関連付けて前記記録手段に記録するようにしてもよい。
【００１４】
また、例えば、請求項１２に記載されているように、前記記録手段に記録された画像データの画像を表示手段に表示させる画像表示制御手段と、該画像データに関連付けられて記録されている色名称を報知する報知手段と、
を備えるようにしてもよい。
【００１５】
また、例えば、請求項１３に記載されているように、前記画像表示制御手段により前記表示手段に表示された画像内の任意の位置又は領域を１又は２以上指定する指定手段を備え、
前記報知手段は、
前記画像表示制御手段により前記表示手段に表示されている画像の画像データに関連付けられて記録されている色名称の中で、前記指定手段により指定された位置又は領域の位置データに対応する色名称を報知するようにしてもよい。
【００１６】
また、例えば、請求項１４に記載されているように、前記報知手段は、
前記検索手段により検索された色名称を前記表示手段に文字表示させる表示制御手段、又は、当該色名称を音声出力手段に音声出力させる音声出力制御手段のうち少なくとも１つを含むようにしてもよい。
また、請求項１５に記載されているように、ようにしてもよい。
【００１７】
また、例えば、請求項１５に記載されているように、前記表示制御手段は、
画像データに関連付けられて記録されている色名称を、該色名称に対応付けられて記録されている位置データに基づいて定められた画像内の位置に表示させるようにしてもよい。
また、請求項１６に記載されているように、前記表示制御手段は、
画像データに関連付けられて記録されている色名称を、画像内の所定の位置に表示させるようにしてもよい。
【００１８】
上記目的達成のため、請求項１７記載の発明によるプログラムは、画像データの画像を表示手段に表示させる処理と、
この処理により表示された画像内の色情報を取得する処理と、
この処理により取得された色情報に基づいて色名称を検索する処理と、
この処理により検索された色名称を報知する処理と、
を含み、上記各処理をコンピュータで実行させることを特徴とする。
【００１９】
上記目的達成のため、請求項１８記載の発明によるプログラムは、画像データを取得する画像取得処理と、
前記画像取得手段により取得された画像データの画像内の色情報を取得する処理と、
この処理により取得された色情報に基づいて色名称を検索する処理と、
この処理により検索された色名称と前記画像取得処理により取得された画像データとを関連付けて記録媒体に記録する処理と、
を含み、上記各処理をコンピュータで実行させることを特徴とする。
【発明の効果】
【００２０】
請求項１記載の発明によれば、画像の色情報により色名称を検索するので、色が何色かわからない場合でも、ユーザは容易にその色の名称を知ることができる。
また、画像に映し出された色と同じ絵の具とか、布地を買いたい場合でも便利である。
また、視覚異常者の人にも、容易にこの色が何色か認識することができるので、日常生活でも便利である。
請求項２記載の発明によれば、その場で撮影した被写体の色名称を直ちに知ることができる。
【００２１】
請求項３記載の発明によれば、画像内の複数の位置の色情報を取得して報知するので、画像に映し出された複数の色の名称を同時に知ることができる。また異常者の日常生活にも便利である。
請求項４記載の発明によれば、ユーザが画像内の任意の位置を指定することができるので、ユーザが知りたい箇所の色の名称を知ることができる。
【００２２】
請求項５記載の発明によれば、色名称を画像に表示させたり、音声により出力したりするので、ユーザは、容易に色の名称を知ることができる。
請求項６記載の発明によれば、検索した画像の部分の色名称を、該部分に表示させるので、色名称がどの部分の色を示しているのかが容易にわかる。
請求項７記載の発明によれば、検索された色名称を所定の位置に表示させるので、色名称の表示を見やすくすることができる。
【００２３】
請求項８記載の発明によれば、取得した画像の色情報により色名称を検索して記録するので、画像データの再生時に色名称の検索をしなくてすむ。
また、該記録した画像を再生することにより、色が何色かわからない場合でも、ユーザは容易にその色の名称を知ることができる。
また、画像に映し出された色と同じ絵の具とか、布地を買いたい場合でも便利である。
また、視覚異常者の人にも、容易にこの色が何色か認識することができるので、日常生活でも便利である。
【００２４】
請求項９記載の発明によれば、画像内の複数の位置の色情報を取得して記録するので、画像の再生時に容易に画像に映し出された色の名称を知ることができる。また視覚異常者の日常生活にも便利である。
請求項１０記載の発明によれば、画像の中心位置又は予め定められた位置の色情報を取得するので、画像データの容量が少なくなり、記録処理の負担が軽減される。
【００２５】
請求項１１記載の発明によれば、検索した色名称ごとに、検索した画像の部分の色名称と、該画像の部分の位置データとを対応付けて記録し、該色名称と画像データとを関連付けて記録するので、画像内のどの位置の色名称であるかを認識することができる。
請求項１２記載の発明によれば、画像データを表示させるとともに、表示されている画像データの色名称をユーザに報知させたりするので、ユーザは色名称を容易に認識することができる。
請求項１３記載の発明によれば、ユーザが画像内の任意の位置を指定することができるので、ユーザが知りたい箇所の色の名称を知ることができる。
【００２６】
請求項１４記載の発明によれば、色名称を画像に表示させたり、音声により出力したりするので、ユーザは、容易に色の名称を知ることができる。
請求項１５記載の発明によれば、画像データに関連付けられて記録されている色名称を、該色名称に対応付けて記録されている位置データに基づいて定められた画像内の位置に表示させるので、色名称がどの部分の色を示しているのかが容易にわかる。
請求項１６記載の発明によれば、検索された色名称を所定の位置に表示させるので、色名称の表示を見やすくすることができる。
【００２７】
請求項１７又は１８記載の発明によれば、既存のデジタルカメラ、パソコン等に読み込ませることにより、本発明の画像表示装置、画像記録装置を実現することができる。
【発明を実施するための最良の形態】
【００２８】
以下、本実施の形態について、図面を参照して詳細に説明する。
[第１の実施の形態]
Ａ．デジタルカメラの構成
図１は、本発明の画像再生装置を実現するデジタルカメラ１の電気的な概略構成を示すブロック図である。
デジタルカメラ１は、ＣＣＤ２、ＤＳＰ／ＣＰＵ３、ＴＧ（timing generator）４、ユニット回路５、ＤＲＡＭ６、フラッシュメモリ７、ＲＯＭ８、キー入力部９、画像表示部１０、音声処理部１１、カードＩ／Ｆ１２を備えており、カードＩ／Ｆ１２には、図示しないデジタルカメラ１本体のカードスロットに着脱自在に装着されたメモリ・カード１３が接続されている。
【００２９】
ＣＣＤ２は、投影された被写体を光電変換し、撮像信号としてユニット回路５に出力する。また、ＣＣＤ２はＴＧ４によって生成された所定周波数のタイミング信号に従って駆動される。ＴＧ４にはユニット回路５が接続されている。ユニット回路５は、ＣＣＤ２から出力される撮像信号を相関二重サンプリングして保持するＣＤＳ（Correlated Double sampling）回路、その撮像信号を増幅するゲイン調整アンプ（ＡＧＣ）、増幅後の撮像信号をデジタル信号に変換するＡ／Ｄ変換器から構成されており、ＣＣＤ２の出力信号はユニット回路５を経てデジタル信号としてＣＰＵ２に送られる。
【００３０】
画像表示部１０はカラーＬＣＤとその駆動回路を含み、撮影待機状態にあるときにはＣＣＤ２によって撮像された被写体をスルー画像として表示し、記録画像の再生時には、保存用メモリ・カード１３から読み出され伸張された記録画像を表示する。画像表示部１０は、本発明の表示手段に相当する。
キー入力部９は、実行キー、キャンセルキー、カーソルキー、モードキー等の複数の操作キーを含み、ユーザのキー操作に応じた操作信号をＤＳＰ／ＣＰＵ３に出力する。キー入力部９は、本発明の指定手段としての機能も有する
ＤＲＡＭ６は、ＣＣＤ２によって撮像された後、デジタル化された被写体の画像データを一時記憶するバッファメモリとして使用されるとともに、ＤＳＰ／ＣＰＵ３にワーキングメモリとしても使用される。
【００３１】
音声処理部１１は、内蔵マイク、アンプ、Ａ／Ｄ変換器、内蔵スピーカー、Ｄ／Ａ変換器等を含み、音声付きの動画の撮影時には、内蔵マイクに入力した音声をデジタル信号に変換してＤＳＰ／ＣＰＵ３に送る。ＤＳＰ／ＣＰＵ３へ送られた音声データはＤＲＡＭ１０に順次蓄積され、ＤＳＰ／ＣＰＵ３によって生成された画像データと共にメモリ・カード１３に記録される。
また、音声処理部１１は、音声付動画の再生時には、各画像に付属する音声データに基づく音声又は、後述する検索された色名称を内蔵スピーカーから音声出力する。また、必要に応じて、内蔵スピーカーにより各種の報知音を報音する。音声処理部１１は、本発明の音声出力手段に相当する。
【００３２】
ＤＳＰ／ＣＰＵ３は、画像ファイルの圧縮・伸張の処理を含む各種のデジタル信号処理機能を有するとともに電子カメラ２１の各部を制御するワンチップマイコンである。
特に、ＤＳＰ／ＣＰＵ３は、メモリ・カード１３に記録されている画像データの中から、ユーザのキー入力部９の操作により再生したい画像データの選択があったか否かを判断する。この判断は、キー入力部９から画像データの選択に相当する操作信号が送られてきたか否かにより判断する。
そして、ＤＳＰ／ＣＰＵ３は、画像データの選択があると判断すると、該画像データをカードＩ／Ｆ１２を介して読み出し、該読み出した画像データを伸張して画像を画像表示部１０に表示させる。この機能は、本発明の画像表示制御手段に相当する。
【００３３】
ＤＳＰ／ＣＰＵ３は、ユーザのキー入力部９の操作により色名称を表示したい部分が指定されたか否かを判断する。
ここで、ユーザは、画像表示部１０に画像が表示されると、カーソルの操作によりポインタを移動させ、画像の中で色の名称を知りたい部分にポインタを合わせ、実行キーを操作する（指定手段）。この実行キーの操作に対応する操作信号がキー入力部９から送られてくるとＤＳＰ／ＣＰＵ３は色名称の表示指定が行われたと判断する。
ＤＳＰ／ＣＰＵ３は、色名称の表示指定が行われたと判断すると、ポインタを合わせた位置の画素のＲＧＢ値（色情報）を取得する。この機能は、本発明の取得手段に相当する。そして、ＲＯＭ８に記録されている色名称テーブルを用いて該取得したＲＧＢ値から最も適切な色名称を検索する。この機能は、本発明の検索手段に相当する。
【００３４】
そして、ＤＳＰ／ＣＰＵ３は、検索した色名称をユーザに報知する。この機能は、本発明の報知手段に相当する。報知の方法としては、検索した色名称を画像表示部１０に表示させたり（表示制御手段）、該検索した色名称を音声処理部１１の内蔵スピーカーから音声出力させるようにしてもよい（音声出力制御手段）。また、画像表示と音声出力をともに行うようにしてもよい。
【００３５】
フラッシュメモリ７、ＲＯＭ８には、ＤＳＰ／ＣＰＵ３の各部に必要な制御プログラム、及び必要なデータ（色名称テーブル）が記録されており、ＤＳＰ／ＣＰＵ３は、前記プログラムに従い動作することにより本発明の画像表示制御手段、取得手段、検索手段、報知手段、表示制御手段、音声出力制御手段として機能する。
【００３６】
図２（ａ）は、ＲＯＭ８に記録されている色名称テーブルを示すものである。
色名称テーブルは、ＲＧＢのそれぞれの値に対応した色名称が記録されている。
つまり、黒、濃い青、青、緑、・・・・、黄、薄い黄、白の２７色の色名称が格納されており、その色名称に対応するＲＧＢの値がそれぞれ記録されている。
ここで、Ｒ値、Ｇ値、Ｂ値はそれぞれ０〜２５５まであり、それをそれぞれ３分割して対応する色名称を決めている。つまり、ＲＧＢ値を「０〜８５」までの範囲と「８６〜１７０」までの範囲と「１７１〜２５５」までの範囲にそれぞれ分割して記録しており、ＲＧＢ値によって定まる色の数は３×３×３で２７色となる。
したがって、Ｒ値「９４」、Ｇ値「２１１」、Ｂ値「２０」という場合は、Ｒ値「９４」は８６〜１７０の範囲内であり、Ｇ値「２１１」は１７１〜２５５の範囲内であり、Ｂ値「２０」は０〜８５の範囲内なので、このＲＧＢ値に該当する色名称は「ライム」といことになる。
【００３７】
なお、ＲＧＢ値を３分割しているが、分割の数は任意であり、ＲＧＢを等分に分割する必要もない。つまりＲ値は３分割、Ｇ値は５分割、Ｂ値は４分割とするようにしてもよい。この場合は、色名称の数は３×５×４で６０となる。
また、色名称はＲＧＢ値に対して１つであるが、ＲＧＢ値に対して複数の色名称を有するようにしてもよい。例えば図２に示すような一般の色名称のほか、ＪＩＳ規格の「Ｚ８１０２物体の色名」、「慣用色名」等の複数の色名称を１つＲＧＢ値対応して記録し、ユーザの操作によって色名称を変えるようにしてもよい。
例えば、緑がかった青は、「あさぎ色」、「なんど色」、「ターコイズブルー」、「マリンブルー」というように複数の色名称を記録しておくようにしてもよい。
【００３８】
Ｂ．デジタルカメラ１の動作
デジタルカメラ１の動作を図３のフローチャートにしたがって説明する。
ユーザにキー入力部９の操作により画像再生モードに設定されると、ステップＳ１で画像表示したい画像データが選択されたか否かを判断する。この判断は、キー入力部９から画像データ選択に相当する操作信号が送られてきたか否かにより判断する。
画像データの選択があった場合はステップＳ２に進み、選択がない場合には選択があるまでステップＳ１に留まる。
【００３９】
ステップＳ２に進むと、選択された画像データをカードＩ／Ｆ１２を介して、メモリ・カード１３から読み出し、該読み出した画像データを伸張して画像表示部１０に表示させる。ここでは、図４に示すような画像が表示されたものとする。
ここで、図４に示す画像は、リボンのような形をした物体２１、直方体の形状からなる物体２２及び円柱の形状からなる物体２３からなる。物体２１は赤色、物体２２は濃い青色、物体２３はオレンジ色の色を有している。
【００４０】
次いで、ステップＳ３に進み、色名称表示の指定が行われたか否かを判断する。色名称表示の指定が行われた場合はステップＳ４に進み、行なわれていない場合は行われるまでステップＳ３に留まる。
ここで、ユーザは、画像が表示されると、カーソルキーの操作により色の名称を知りたい箇所にポインタを移動させる。そして、ポインタの移動が完了すると、つまり、色の名称を知りたい箇所にポインタを合わせると実行（色表示）キーの操作を行う。この色表示キーの操作が行われると、色名称表示の指定が行われたと判断する。ここでは、図４に示すように、カーソルを物体２２の前面側に移動させ、色表示キーを操作したとする。
【００４１】
次いで、ステップＳ４に進むと、色名称表示の指定がされた位置、つまり、色表示が指定されたときのポインタの位置の画素のＲＧＢ値を取得する。つまり、図４を用いて説明すると、ポインタを合わせた点、つまり黒点２４の位置のＲＧＢの値を取得する。例えば取得したＲＧＢ値を、Ｒ値「２１」、Ｇ値「４６」、Ｂ値「１３５」とする。なお、画像の中心部分の画素のＲＧＢ値のみを取得するようにしてもよいし、予め定められた位置（該画像が撮影されるときにフォーカスされた位置、又はユーザが事前に指定しておいた設定位置、又は予め定められた複数位置等）の画素のＲＧＢ値を自動的に選択するようにしてもよい。この場合は、色名称表示の指定を行うことなく画素のＲＧＢ値を取得する。
次いで、ステップＳ５に進むと、検出したＲＧＢ値の値とＲＯＭ８に記録されている色名称テーブルを用いてポインタの位置（黒点２４の位置）の色名称を検索する。つまり、読み出したＲ値「２１」、Ｇ値「４６」、Ｂ値「１３５」が該当する色名称を検索する。このＲ値「２１」は０〜８５の範囲であり、Ｇ値「４６」は０〜８５の範囲であり、Ｂ値「１３５」は８５〜１７０の範囲であるので、ポインタの位置（黒点２４の位置）の色の名称は「濃い青」となる。
【００４２】
そして、ステップＳ６に進み、検索した色名称、つまり、「濃い青」を画像表示部１０に表示させる。なお、音声により「濃い青です」というように報知してもよい。また、画像表示とともに音声により報知するようにしてもよい。
なお、ユーザのキー入力部９の操作により色名称を切り替えるようにしてもよい。例えば、ＪＩＳ規格の「Ｚ８１０２物体の色名」や「慣用色名」に変更するようにしてもよい。
【００４３】
Ｃ．このように、画像再生モードが設定され、画像データの選択が行われると選択された画像データの画像を画像表示部１０に表示させる。そして、ユーザがその画像を見て、キー入力部９の操作により、色の名称を知りたい部分にポインタを合し、実行キーを押す。すると、色名称表示の指定がされたと判断し、該合わされたポインタの位置の画素のＲＧＢ値を取得し、該取得したＲＧＢ値及びＲＯＭ８に記録された色名称テーブルを用いて色名称を検索し、該検索した色名称をユーザに報知する。
【００４４】
Ｄ．以上のように、第１の実施の形態においては、色名称表示の指定された部分の色名称を報知するので、この色が何色かわからない場合でも、ユーザは容易にその色の名称を知ることができる。
また、画像に映し出された色と同じ絵の具とか、布地を買いたい場合でも便利である。
また、視覚異常者の人にも、容易にこの色が何色か識別することができるので、日常生活でも便利である。
【００４５】
なお、上記第１の実施の形態における画像再生装置は、上記各実施の形態に限定されるものではなく、携帯電話、ＰＤＡ，デジタルビデオカメラ、パソコン等でもよく、要は画像データを再生することができる機器であればよい。
【００４６】
［第２の実施の形態］
次に、第２の実施の形態について説明する。
第２の実施の形態は、画像の撮影時に色名称の検索を行い検索した色名称と撮影した画像データとを関連付けて記録し、該画像データの再生時に関連付けられた色名称を表示するというものである。
【００４７】
Ｅ．デジタルカメラ１の構成
第２の実施の形態も、図１に示したものと同様の構成を有するデジタルカメラ１を用いることにより本発明の画像記録装置を実現する。
第２の実施の形態におけるデジタルカメラ１は、第１の実施の形態と以下の点で構成の機能が異なる。
画像撮影処理について
ユーザのキー入力部１１の操作により画像撮影モードに設定すると、ＤＳＰ／ＣＰＵ３は、ＣＣＤ２による撮像を開始して、撮像された被写体をスルー画像として画像表示部１０に表示させる。
【００４８】
そして、ユーザによりシャッターボタンが押下されたか否かを判断する。この判断は、シャッターボタン押下の操作に対応する操作信号がキー入力部９から送られてきたか否かにより判断する。
ＤＳＰ／ＣＰＵ３は、シャッターボタンが押下されたと判断すると、静止画撮影処理を開始する。ここで、ＣＣＤ４に比較的長い出力撮像タイミングで１画面中の偶数ラインの画素信号と、奇数ラインの画素信号とを順に出力し、全面素分のデータをバッファメモリ（ＤＲＡＭ６）に取得する。この機能は、本発明の画像取得手段に相当する。
そして、ＤＲＡＭ６に記憶した画像データの画素ごとのＲＧＢ値を画素毎に取得する。この機能は本発明の取得手段に相当する。また、画素が画像内の何処に位置するのかを示す位置データも取得する。
【００４９】
ＤＳＰ／ＣＰＵ３は、取得した画素毎のＲＧＢ値に基づいて、色名称を画素毎に検索する。このときは、ＲＯＭ８に記録されている色名称テーブルを用いて検索する。この機能は、本発明の検索手段に相当する。
そして、該検索した色名称と該色名称が検索された基となった画素の位置データとを対応付けて、該検索した色名称と取得した画像データを関連付けてメモリ・カード１３に記録する。この機能は、本発明の記録制御手段に相当する。
【００５０】
画像再生処理について
次に、上記画像撮影処理により撮影された画像データの再生処理について説明する。
第１の実施の形態と同様に、ユーザのキー入力部９の操作により、画像データが選択され、該画像データを画像表示部１０に表示させると、ユーザは、その画像で色の名称を知りたい部分にポインタを合わせて実行キーを押す。
【００５１】
ＤＳＰ／ＣＰＵ３は、キー入力部９から実行キー押下に対応する操作信号が送られてくると、色名称表示の指定がされたと判断し、該指定されたポインタが画像内に位置する位置データから、その位置データに対応し、且つ、該選択された画像データに関連付けられて記録されている色名称をメモリ・カード１３から読み出す。そして、該読み出した色名称を報知する。この機能は、本発明の報知手段に相当する。報知の方法としては、読み出した色名称を該表示装置１０に表示させたり（表示制御手段）、該検索した色名称を音声処理部１１の内蔵スピーカーから音声出力させるようにしてもよい（音声出力制御手段）。
【００５２】
Ｈ．デジタルカメラ１の動作
デジタルカメラ１の画像撮影の動作を図５のフローチャートにしたがって説明する。
ユーザのキー入力部９の操作により画像撮影モードに設定されると、ステップＳ１１でＣＣＤ２による撮像を開始して被写体のスルー画像を画像表示部１０に表示させる。
次いで、ステップＳ１２に進み、シャッターボタンが押下されたか否かを判断する。この判断は、キー入力部９からシャッターボタン押下に相当する操作信号が送られてきたか否かにより判断する。シャッターボタンが押下されるとステップＳ１３に進み、押下されていない場合は押下されるまでステップＳ１２に留まりスルー画像表示を継続する。
【００５３】
次いで、ステップＳ１３に進むと、静止画撮影処理を行う。ここでは、ＣＣＤ２に比較的長い出力撮像タイミングで１画面中の偶数ラインの画素信号と、奇数ラインの画素信号とを順に出力し、全面素分のデータをバッファメモリ（ＤＲＡＭ６）に取り込み、取り込んだ画像データを圧縮する処理を開始する。
次いで、ステップＳ１４に進み、画像データの画素毎のＲＧＢ値及び位置データを取得する。位置データとは、画像データの画像全体の中で画素が対応する位置を示すデータのことをいう。
【００５４】
次いで、ステップＳ１５に進み、ＲＯＭ８に記録されている色情報テーブルに基づいて、該検出した画素毎のＲＧＢ値が対応する色名称を検索する。なお、画素毎のＲＧＢ値が対応する色名称を検索させないで、自動的に画像の中央部の色名称のみを検索するようにしてもよいし、予め定めされた位置（該画像が撮影されるときにフォーカスされた位置、ユーザが事前に指定しておいた設定位置、予め定められた複数位置等）の色名称のみを自動的に検索するようにしてもよい。なお、ＲＯＭ８にＲＧＢ値の値に対応して複数の色名称が記録されている場合は、画素毎に複数の色名称が検索されることとなる。
次いで、ステップＳ１６に進み、検索された色名称と、該色名称が検索された基となった画素の画像内の位置データとを圧縮された画像データに関連付けてメモリ・カード１３に記録する。このとき、画素の位置データと色名称とは対応付けて記録されている。
【００５５】
次に、該メモリ・カード１３に記録した画像データの再生処理の動作を図６のフローチャートにしたがって説明する。
ユーザのキー入力部９の操作により画像再生モードが設定されると、ステップＳ２１でメモリ・カード１３に記録されている画像データの中で再生したい画像データがユーザによって選択されたか否かを判断する。この判断は、画像データ選択に対応する操作信号がキー入力部９から送られてきたか否かにより判断する。
画像データが選択された場合はステップＳ２２に進み、画像データが選択されていない場合は選択されるまでステップＳ２１に留まる。
次いで、ステップＳ２２に進むと、該選択された画像データをメモリ・カード１３から読み出し、該読み出した画像データを伸張して画像表示部１０に表示させる。ここでも、図４に示すような画像が表示されたものとする。
【００５６】
次いで、ステップＳ２３に進み、色名称表示の指定がされたか否かを判断する。色名称表示の指定が行われた場合はステップＳ２４に進み、行なわれていない場合は行われるまでステップＳ２３に留まる。
ここで、ユーザは、画像が表示されると、カーソルキーの操作により色の名称を知りたい箇所にポインタを移動させる。そして、ポインタの移動が完了すると、つまり、色の名称を知りたい箇所にポインタを合わせると実行キーの操作を行う。この実行キーの操作が行われると、色名称表示の指定が行われたと判断する。ここでは、図４に示すように、カーソルを物体２２の前面側に移動させ、実行キーを操作したとする。
【００５７】
次いで、ステップＳ２４に進み、色名称表示の指定がされた位置、つまり、黒点２４の位置の色名称の読み出しを行う。ここで、色名称の読み出しは、黒点２４の位置データを算出し、該算出された位置データに対応して記録されている色名称を読み出す。なお、画像の中央部分の色名称、又は予め定められた位置（該画像が撮影されるときにフォーカスされた位置、ユーザが事前に指定しておいた設定位置、予め定められた複数位置等）の色名称のみが画像データと関連付けられている場合には、色名称表示の指定を行うことなく自動的に色名称を読み出すようにしてもよい。
次いで、ステップＳ２５に進み、該読み出した色名称を画像表示部１０に表示させ、又は、音声出力部１１から色名称の音声出力をする。なお、画像表示と音声出力をともに行うようにしてもよい。また、位置データに複数の色名称が対応付けて記録されている場合は、ユーザのキー入力部９の操作により色名称を切り替えるようにしてもよい。
例えば、緑がかった青の色の名称を「あさぎ色」と報知した場合には、キー入力部９の操作により、「なんど色」、「ターコイズブルー」というように切り替えて表示するようにしてもよい。
【００５８】
このように、画像撮影処理が開始されると、被写体のスルー画像を画像表示装置１０に表示させ、シャッターボタンが押下されると静止画撮影処理を行う。
そして、撮像された画像データの画素毎のＲＧＢ値及び該画素が画像内に位置する位置データを取得し、該取得したＲＧＢ値から対応する色名称を画素毎に検索する。そして、該検索された色名称と位置データとを撮像された画像データに関連付けて記録する。この色名称と位置データとは対応付けられてメモリ・カード１３に記録される。
【００５９】
そして、画像再生モードが設定され、該記録された画像データの選択が行われると選択された画像データの画像を画像表示部１０に表示させる。そして、ユーザがその画像を見て、キー入力部９の操作により、色の名称を知りたい部分にポインタを合し、実行キーを押す。すると、色名称表示の指定がされたと判断し、該合わされたポインタの位置の位置データを算出し、該位置データに対応し、且つ、該選択された画像データに関連付けられて記録されている色名称を読み出し、画像表示部１０に表示させる。
【００６０】
以上のように、第２の実施の形態においては、取得した画像の色情報により色名称を検索して記録するので、該記録した画像を再生することにより、色が何色かわからない場合でも、ユーザは容易にその色の名称を知ることができる。
また、画像に映し出された色と同じ絵の具とか、布地を買いたい場合でも便利である。
また、視覚異常者の人にも、容易にこの色が何色か認識することができるので、日常生活でも便利である。
また、該色名称と画像データとを関連付けて記録するので、画像データの再生時に色名称の検索をしなくてすむ。
【００６１】
なお、上記実施の形態では、ＣＣＤ２による撮像により画像データを取得することとしたが、これに限らず、メモリ・カード１３、通信ケーブル等の外部から画像データを取得するようにしてもよい。
また、上記第２の実施の形態における画像記録装置は、上記の実施の形態に限定されるものではなく、携帯電話、ＰＤＡ、デジタルビデオカメラ、パソコン等でもよく、要は画像データを記録することができる機器であれば何でもよい。
【００６２】
［変形例］
上記第１の実施の携帯、第２の実施の形態の変形例として以下のような態様も可能である。
第１の実施の形態、第２の実施の形態で色名称を画像表示部１０に表示させるときには、図７（ａ）に示すように、画像の右上等の画像内の所定の位置に表示させるようにしてもよい。これにより、色名称は常に所定の場所に表示されるので、色名称の表示を見やすくすることができる。
また、図７（ｂ）に示すように、ポインタが指定された位置や色名称が対応する位置データに基づいて定められた画像内の位置に表示させるようにしてもよい。これにより、色名称がどの部分の色を示しているのかが容易にわかる。
【００６３】
また、キー入力部９のカーソルの操作によりポインタを移動させ、実行キーが押されたときのポインタの位置の色名称を表示させるようにしたが、タッチパネル等により画像にタッチされた部分の色名称を表示させるようにしてもよい。これにより、カーソルを移動させて実行キーを押すというユーザの操作が簡単になる。
また、色名称表示モードというものを設け、ポインタが位置する部分の色名称を常時表示さるようにしてもよい。この場合は、実行キーを押すことなく、また、ポインタが移動すれば表示される色名称が変わることになる。これにより、ユーザの操作が軽減され、簡単に画像の色を認識することができる。
【００６４】
また、ポインタにより指定された部分の画素のＲＧＢ値を取得するようにしたが、画素単位ではなく、色名称を知りたい領域を指定することにより、その領域の平均値のＲＧＢ値を取得するようにしてもよい。また、指定された物体の全体のＲＧＢ値の平均値を取得するようにしてもよい。例えば、図４に示すように、ポインタにより物体２２の黒点２４を指定したとすると、物体２２の画素のＲＧＢ値の平均値を取得するようにしてもよい。これにより、光の加減などで、ある領域又は物体の色が部分的に異なる場合でも、領域又は物体全体の色を認識することができる。
【００６５】
また、画像の色合いから光の光源の種別を判定し、その光源色の影響を排除する色補正を行ってからそのＲＧＢ値に対応する色名称を検索するようにしてもよい。また、色補正を行うことなく、色名称テーブルを光源毎に記録しておき、光の光源を判定してから、その光源に対応する色名称テーブルにより色名称を検索するようにしてもよい。光源が異なれば（太陽光、蛍光）、同じ色でも、微妙に変化するからである。これにより、光源の影響を受けず、本来の色を表示することができる。
【００６６】
また、ＲＧＢ値に対して複数の色名称、ＪＩＳ規格の「Ｚ８１０２物体の色名」、「慣用色名」等が記録してある場合には、色名称の表示をキー入力部９の操作により、切り替えて表示するようにしたが、一定時間の間隔で自動的に切り換わるように表示するようにしてもよい。例えば、緑がかった青の場合には、色名称を「あさぎ色」と表示してから、一定時間経過後に「なんど色」さらに一定時間経過後に「ターコイズブルー」というように表示するようにしてもよい。
【００６７】
更に、スルー画像表示の時に、指定された位置又は領域、又は、画像の中央部の位置のＲＧＢ値等を取得して、色名称を検索して色名称を表示するようにしてもよい。この場合には、被写体を撮像することができる機器であれば何でもよい。
【図面の簡単な説明】
【００６８】
【図１】本発明の実施の形態のデジタルカメラ１のブロック図である。
【図２】色名称テーブルの構成を示す図である。
【図３】第１の実施の形態のデジタルカメラの動作を示すフローチャートである。
【図４】画像表示部１０に表示された画像を示す図である。
【図５】第２の実施の形態のデジタルカメラの動作を示すフローチャートである。
【図６】第２の実施の形態のデジタルカメラの動作を示すフローチャートである。
【図７】画像表示部１０に表示された色名称の態様を示す図である。
【符号の説明】
【００６９】
１      デジタルカメラ
２      ＣＣＤ
３      ＣＰＵ
４      ＴＧ
５      ユニット回路
６      ＤＲＡＭ
７      フラッシュメモリ
８      ＲＯＭ
９      キー入力部
１０    画像表示部
１１    音声出力部
１２    カードＩ／Ｆ
１３    メモリ・カード
【図１】
2005202452.tif 000003
【図２】
2005202452.tif 000004
【図３】
2005202452.tif 000005
【図４】
2005202452.tif 000006
【図５】
2005202452.tif 000007
【図６】
2005202452.tif 000008
【図７】
2005202452.tif 000009